(57)【要約】【課題】  コードからの情報の漏えいを防ぎ、安全に情報を伝達することを目的とする。【解決手段】  携帯端末装置２の制御部３０は、対象情報を暗号化し、暗号化された対象情報を複数の分割情報に分割するとともに、第１パスワードを複数の分割パスワードに分割する。制御部３０は、表示部３１に、複数の分割情報のそれぞれに対応する複数の復元情報８０をそれぞれ格納する複数の二次元コードを表示させる。画像形成装置１の制御部１０は、画像読取部１１に、複数の二次元コードを読取らせて、複数の画像データを生成させる。制御部１０は、複数の画像データのそれぞれから取得される復元情報８０を用いて、複数の分割パスワードを結合して復元パスワードを生成する。制御部１０は、第２パスワードと復元パスワードとが一致する場合に、複数の分割情報を結合して結合情報を生成し、結合情報を復号化して対象情報を復元する。【選択図】図９Ｂ
2020182194.tif 000002
【特許請求の範囲】
【請求項１】
携帯端末装置と、画像処理装置と、を含む情報伝達システムであって、
前記携帯端末装置は、表示部と、情報が入力される第１入力部と、第１記憶部と、第１制御部と、を備え、
前記画像処理装置は、画像データを取得する画像取得部と、情報が入力される第２入力部と、第２記憶部と、第２制御部と、を備え、
前記第１制御部は、
前記第１入力部を介して入力される伝達対象の対象情報を暗号化し、暗号化された前記対象情報を、予め定められている第１の分割方法にしたがって複数の分割情報に分割し、
前記第１入力部を介して入力される第１パスワードを、予め定められている第２の分割方法にしたがって複数の分割パスワードに分割し、
複数の分割情報のそれぞれについて、当該分割情報と、前記第１の分割方法と、を少なくとも含む復元情報を生成し、
前記生成された複数の復元情報のうち少なくとも２つ以上には、前記複数の分割パスワードが分配されて含まれるとともに、前記第２の分割方法が含まれており、
生成された複数の前記復元情報のそれぞれについて、前記復元情報を格納するコードを生成して、前記第１記憶部に記憶させ、
前記表示部に、前記第１記憶部に記憶されている複数の前記コードを表示させ、
前記第２制御部は、
前記画像取得部に、前記表示部に表示されている複数の前記コードのそれぞれを示す画像データを取得させ、
複数の前記画像データのそれぞれについて、前記画像データによって示される前記コードに格納されている前記復元情報を取得し、
前記少なくとも２つ以上の復元情報に含まれている前記第２の分割方法を用いて、前記少なくとも２つ以上の復元情報のそれぞれに含まれている前記分割パスワードを結合することによって、復元パスワードを生成し、
前記第２入力部を介して入力される第２パスワードと、前記復元パスワードとが一致する場合に、前記復元情報に含まれている前記第１の分割方法を用いて、複数の前記復元情報のそれぞれに含まれている分割情報を結合することによって、結合情報を生成し、
前記結合情報を復号化し、復号化された前記結合情報を、前記対象情報として、前記第２記憶部に記憶させ、
前記第２パスワードと、前記復元パスワードとが一致しない場合には、前記分割情報の結合を行なわない、情報伝達システム。
【請求項２】
前記復元情報はさらに、前記分割情報の総数を含み、
前記第２制御部は、取得された前記復元情報の数と、前記復元情報に含まれている前記分割情報の総数とが一致する場合に、前記復元パスワードの生成を行ない、一致しない場合には、前記復元パスワードの生成を行なわない、請求項１に記載の情報伝達システム。
【請求項３】
前記復元情報はさらに、前記分割情報の結合順序を含み、
前記第２制御部は、前記復元情報に含まれている前記第１の分割方法及び前記結合順序を用いて、複数の前記分割情報を結合する、請求項１又は請求項２に記載の情報伝達システム。
【請求項４】
前記画像処理装置は、記録媒体に画像を形成する画像形成部をさらに備え、
前記画像形成部は、前記第２記憶部に記憶されている前記対象情報に基づく画像を、前記記録媒体に形成する、請求項１乃至請求項３のいずれかに記載の情報伝達システム。
【請求項５】
前記第１記憶部及び前記第２記憶部は、それぞれ、複数の暗号鍵のそれぞれが、前記暗号鍵を識別するための識別番号に対応付けられている同一の暗号テーブルを予め記憶しており、
前記第１制御部は、前記対象情報を、前記第１記憶部に予め記憶されている前記暗号テーブルに含まれている前記複数の暗号鍵のうちのいずれかによって暗号化し、
前記復元情報はさらに、前記対象情報の暗号化に用いられた暗号鍵の識別番号を含み、
前記第２制御部は、前記結合情報を、前記第２記憶部に予め記憶されている前記暗号テーブルに含まれている前記複数の暗号鍵のうち、前記復元情報に含まれている前記識別番号に対応する暗号鍵によって復号化する、請求項１乃至請求項４のいずれかに記載の情報伝達システム。
【発明の詳細な説明】
【技術分野】
【０００１】
本発明は、情報伝達システムに関し、特に、携帯端末装置から画像処理装置に情報を伝達する技術に関する。
【背景技術】
【０００２】
二次元コードを用いた単方向通信を利用して、情報の伝達を行なう技術が知られている。
【０００３】
例えば、特許文献１には、画像情報又は音声情報等を分割し、得られた分割情報のそれぞれを二次元コード化して複数の二次元コードを出力する二次元コード化装置と、複数の二次元コードを読取り、得られた複数の分割情報を合成して画像情報又は音声情報等を復元する二次元コード再生装置と、が開示されている。
【先行技術文献】
【特許文献】
【０００４】
【特許文献１】特開２００４−２０６４４７号公報
【発明の概要】
【発明が解決しようとする課題】
【０００５】
コンビニエンスストア等の店舗に設置されている画像形成装置を用いて文書を印刷する場合、ユーザーは、印刷対象の文書データを画像形成装置に入力する必要がある。
【０００６】
一般的に、ユーザーは、ＵＳＢ(Universal Serial Bus)メモリー等の外部記憶媒体を画像形成装置の入出力端子に接続したり、携帯端末装置等との近距離無線通信を利用したり、ネットワーク回線を介して接続されているサーバー装置を経由したりする方法によって、印刷対象の文書データの入力を行なう。
【０００７】
しかしながら、このような双方向通信を利用して文書データの入力を行なう場合、ウィルス感染又は不正操作等に起因する情報漏えいのおそれがある。
【０００８】
特許文献１に開示されている技術、すなわち、二次元コードを用いた単方向通信を利用して文書データの入力を行なう場合、コンピューターウイルスによる感染又は不正操作等に起因する情報漏えいのおそれはなくなるものの、例えば携帯端末の紛失によって文書データの所有者ではない第三者が二次元コードを取得することによって、情報漏えいが発生してしまうおそれがある。
【０００９】
本発明は、上記の事情に鑑みなされたものであり、コードからの情報の漏えいを防ぎ、安全に情報を伝達することを目的とする。
【課題を解決するための手段】
【００１０】
本発明の一局面に係る情報伝達システムは、携帯端末装置と、画像処理装置と、を含む。携帯端末装置は、表示部と、情報が入力される第１入力部と、第１記憶部と、第１制御部と、を備える。画像処理装置は、画像データを取得する画像取得部と、情報が入力される第２入力部と、第２記憶部と、第２制御部と、を備える。第１制御部は、第１入力部を介して入力される伝達対象の対象情報を暗号化し、暗号化された対象情報を、予め定められている第１の分割方法にしたがって複数の分割情報に分割し、第１入力部を介して入力される第１パスワードを、予め定められている第２の分割方法にしたがって複数の分割パスワードに分割し、複数の分割情報のそれぞれについて、当該分割情報と、第１の分割方法と、を少なくとも含む復元情報を生成する。生成された複数の復元情報のうち少なくとも２つ以上には、複数の分割パスワードが分配されて含まれるとともに、第２の分割方法が含まれている。第１制御部は、生成された複数の復元情報のそれぞれについて、復元情報を格納するコードを生成して第１記憶部に記憶させ、表示部に、第１記憶部に記憶されている複数のコードを表示させる。
第２制御部は、画像取得部に、表示部に表示されている複数のコードのそれぞれを示す画像データを取得させ、複数の画像データのそれぞれについて、画像データによって示されるコードに格納されている復元情報を取得し、少なくとも２つ以上の復元情報に含まれている第２の分割方法を用いて、少なくとも２つ以上の復元情報のそれぞれに含まれている前記分割パスワードを結合することによって、復元パスワードを生成し、第２入力部を介して入力される第２パスワードと、復元パスワードとが一致する場合に、復元情報に含まれている第１の分割方法を用いて、複数の復元情報のそれぞれに含まれている分割情報を結合することによって、結合情報を生成し、結合情報を復号化し、復号化された結合情報を、対象情報として、第２記憶部に記憶させ、第２パスワードと、前記復元パスワードとが一致しない場合には、前記分割情報の結合を行なわない。
【発明の効果】
【００１１】
本発明によれば、伝達対象の情報が暗号化されるとともに分割されるので、伝達対象の情報の所有者ではない第三者が複数のコードを取得したとしても、当該第三者は、複数のコードにそれぞれ格納されている分割情報の結合方法及び暗号化された情報の復号化方法を知らなければ、伝達対象の情報を取得できない。また、第１パスワードが分割されるので、第三者は、分割情報の結合及び暗号化された情報の復号化を実行するための第１パスワードを容易に知ることができない。したがって、コードからの情報の漏えいを防ぐことができ、安全に対象情報を伝達できる。
【００１２】
また、第２パスワードと、復元パスワードとが一致しない場合には、分割情報の結合を行なわないので、復元パスワード、すなわち第１パスワードを知ることのできない第三者は、分割情報を結合させることができない。したがって、二次元コードからの情報の漏えいをより一層確実に防ぐことができる。
【図面の簡単な説明】
【００１３】
【図１】本発明の一実施形態に係る情報伝達システムの構成を示す図である。
【図２】本発明の一実施形態に係る画像形成装置の内部構成を示すブロック図である。
【図３】本発明の一実施形態に係る携帯端末装置の内部構成を示すブロック図である。
【図４】複数コード生成処理を示すフローチャートである。
【図５】第１ホーム画面の一例を示す図である。
【図６】第１設定画面の一例を示す図である。
【図７】第２設定画面の一例を示す図である。
【図８】復元情報の構造の一例を示す。
【図９Ａ】対象情報復元処理を示すフローチャートである。
【図９Ｂ】対象情報復元処理を示すフローチャートである。
【図１０】第２ホーム画面の一例を示す図である。
【図１１】読取画面の一例を示す図である。
【図１２】入力画面の一例を示す図である。
【発明を実施するための形態】
【００１４】
以下、本発明の一実施形態に係る情報伝達システムについて図面を参照して説明する。図１は、本発明の一実施形態に係る情報伝達システムの構成を示す図である。図１を参照して、情報伝達システム３は、画像形成装置１と、携帯端末装置２と、を含む。画像形成装置１は、特許請求の範囲における画像処理装置の一例である。
【００１５】
［画像形成装置１の構成］
画像形成装置１は、ファクシミリ機能、コピー機能、プリンター機能、及びスキャナー機能等の複数の機能を兼ね備えている複合機である。画像形成装置１は、コンビニエンスストアに設置されている。
【００１６】
図１を参照して、画像形成装置１の筐体７には、画像形成装置１の様々な機能を実現するための複数の機器が収容されている。例えば、筐体７には、画像読取部１１、画像形成部１２（図１には図示しない。）、定着部１３（図１には図示しない。）、及び給紙部１４等が収容されている。
【００１７】
画像読取部１１は、原稿を搬送する原稿搬送部６と、原稿搬送部６によって搬送されてくる原稿又はプラテンガラスに載置されている原稿を光学的に読取るスキャナーと、を含むＡＤＦ（Auto Document Feeder）である。画像読取部１１は、光照射部によって原稿等を照射し、その反射光をＣＣＤ（Charge-Coupled Device）センサーによって受光することで、原稿等を読取って画像データを取得する。画像読取部１１は、特許請求の範囲における画像取得部の一例である。
【００１８】
画像形成部１２は、感光体ドラム、帯電装置、露光装置、現像装置、及び転写装置を含む。画像形成部１２は、画像読取部１１によって生成される画像データに基づく画像ファイル、ネットワークを介して接続されるＰＣ(Personal Computer)から送られてくる画像ファイル、又は他のファクシミリ装置から送られる画像ファイル等に基づいて、給紙部１４から供給される記録紙にトナー像によって構成される画像を形成する。
【００１９】
定着部１３は、画像形成部１２によって表面にトナー像が形成された記録紙を加熱及び加圧することでトナー像を記録紙に定着させる。定着部１３によってトナー像が定着された記録紙は排紙トレイ８に排出される。
【００２０】
給紙部１４は、用紙カセットに収容されている記録紙、又は手差しトレイに載置されている記録紙を図示しないピックアップローラーによって１枚ずつ引出して画像形成部１２へと送り出す。
【００２１】
画像形成装置１は、操作部１５を備える。ユーザーは、操作部１５を介して、画像形成装置１によって実行可能な各種機能についての指示等を含む各種の情報を入力する。操作部１５は、ハードキーとして、各種機能の実行の開始を指示するためのスタートキー１５Ａを含む。
【００２２】
操作部１５は、表示部１６を含む。表示部１６は、液晶ディスプレイ又は有機ＥＬ（Organic Light-Emitting Diode）ディスプレイ等によって構成される表示装置である。表示部１６は、画像形成装置１によって実行可能な各種機能に関する各種の画面を表示する。
【００２３】
操作部１５は、表示部１６に重ねて配置されるタッチパネル１５Ｂを含む。タッチパネル１５Ｂは、ユーザーの指によるタッチ操作を、当該タッチ操作の位置とともに検知する。操作部１５は、特許請求の範囲における第２入力部の一例である。
【００２４】
表示部１６は、例えば、文字又は数字の入力を行なうための複数のソフトキーを含むキーボード画像を表示する。ユーザーは、キーボード画像のソフトキーをタッチすることによって、タッチパネル１５Ｂを介して文字又は数字を入力できる。
【００２５】
図２は、本発明の一実施形態に係る画像形成装置の内部構成を示すブロック図である。図２を参照して、画像形成装置１は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。
【００２６】
制御ユニット１００は、内蔵するＲＯＭ又はＨＤＤ（Hard Disk Drive）１９に記憶されている制御プログラムが上記のプロセッサーによって実行されることにより、制御部１０として機能する。制御部１０は、特許請求の範囲における第２制御部の一例である。
【００２７】
なお、制御部１０は、制御プログラムに基づく動作によらず、ハード回路によって動作可能に構成されてもよいし、２つ以上の制御ユニットによって実現される構成であってもよい。
【００２８】
制御ユニット１００は、原稿搬送部６、画像読取部１１、画像形成部１２、定着部１３、給紙部１４、操作部１５、画像処理部１７、画像メモリー１８、ＨＤＤ１９、ファクシミリ通信部２１、及び通信部２２等と電気的に接続されている。
【００２９】
制御部１０は、画像形成装置１の全体制御を司る。より詳細には、制御部１０は、画像形成装置１の各部の動作、及び、ネットワークを介して接続されるＰＣ若しくはメールサーバー等の情報処理装置２３、又は、携帯端末装置２との通信等を制御する。
【００３０】
画像処理部１７は、画像読取部１１によって生成される画像データに対して、必要に応じて画像処理を実行する。
【００３１】
画像メモリー１８は、画像読取部１１によって生成される印刷対象の画像データを一時的に記憶する領域を含む。
【００３２】
ＨＤＤ１９は、画像読取部１１によって生成される画像データ等を含む各種データを記憶する大容量の記憶装置である。ＨＤＤ１９は、画像形成装置１の一般的な動作を実現するための各種制御プログラムを記憶する。ＨＤＤ１９は、特許請求の範囲における第２記憶部の一例である。
【００３３】
ＨＤＤ１９は、本実施の形態に係る対象情報復元処理を実行するための復元プログラムを記憶している。上記のプロセッサーは、復元プログラムに従って動作することにより、制御部１０として、対象情報復元処理を実行する。復元プログラムは、上記制御プログラムに含まれているものとする。
【００３４】
ＨＤＤ１９は、一般的に使用される復号化プログラムを記憶している。制御部３０は、復号化プログラムに従って動作することによって、予め定められている共通鍵を用いて、暗号化された情報を復号化する。
【００３５】
ＨＤＤ１９は、一般的に使用される二次元コード読取りプログラムを記憶する。制御部１０は、二次元コード読取りプログラムに従って動作することによって、二次元コードを示す画像データを解析して、当該二次元コードに格納されている情報を取得する。ここで、二次元コードとしては、一般的に使用されるものであれば特に限定されないが、例えば、ＱＲ(Quick Response)コード（登録商標）を使用できる。
【００３６】
ファクシミリ通信部２１は、公衆回線への接続を行ない、公衆回線を介して画像データの送受信を行なう。
【００３７】
通信部２２は、ＬＡＮ(Local Area Network)ボード等の通信モジュールを含む。画像形成装置１は、通信部２２を介して、ネットワーク上の情報処理装置２３、又は携帯端末装置２とデータ通信を行なう。
【００３８】
画像形成装置１の各部には図示しない電源が接続され、この電源から電力が供給されることによって、画像形成装置１の各部が動作する。
【００３９】
［携帯端末装置２の構成］
図３は、本発明の一実施形態に係る携帯端末装置の内部構成を示すブロック図である。図３を参照して、携帯端末装置２は、例えば、スマートフォンである。携帯端末装置２は、制御ユニット３００と、表示部３１と、タッチパネル３２と、撮像部３３と、音声入力部３４と、音声出力部３５と、記憶部３６と、電話通信部３７と、通信部３８と、を含む。
【００４０】
制御ユニット３００は、プロセッサー、及びＲＡＭ等を含む。プロセッサーは、例えば、ＣＰＵ、ＭＰＵ、又はＡＳＩＣ等である。制御ユニット３００は、記憶部３６に記憶されている制御プログラムが上記のプロセッサーによって実行されることにより、制御部３０として機能する。制御部３０は、特許請求の範囲における第１制御部の一例である。
【００４１】
なお、制御部３０は、制御プログラムに基づく動作によらず、ハード回路によって動作可能に構成されてもよいし、２つ以上の制御ユニットによって実現される構成であってもよい。
【００４２】
制御ユニット３００は、表示部３１、タッチパネル３２、撮像部３３、音声入力部３４、音声出力部３５、記憶部３６、電話通信部３７、及び通信部３８等と電気的に接続されている。
【００４３】
制御部３０は、携帯端末装置２の全体制御を司る。より詳細には、制御部３０は、携帯端末装置２の各部の動作、及び、ネットワークを介して接続される情報処理装置２３又は画像形成装置１等との通信等を制御する。
【００４４】
表示部３１は、液晶ディスプレイ又は有機ＥＬ（Organic Light-Emitting Diode）ディスプレイ等によって構成される表示装置である。表示部３１は、携帯端末装置２によって実行可能な各種機能に関する各種の画面を表示する。
【００４５】
タッチパネル３２は、表示部３１に重ねて配置されている。タッチパネル３２は、ユーザーの指によるタッチ操作を、当該タッチ操作の位置とともに検知する。ユーザーは、タッチパネル３２を介して、携帯端末装置２によって実行可能な各種機能についての指示等を含む各種の情報を入力する。タッチパネル３２は、特許請求の範囲における第１入力部の一例である。
【００４６】
表示部３１は、例えば、文字又は数字の入力を行なうための複数のソフトキーを含むキーボード画像を表示する。ユーザーは、キーボード画像のソフトキーをタッチすることによって、タッチパネル３２を介して文字又は数字を入力できる。
【００４７】
撮像部３３は、撮像素子及びレンズ等によって構成されるデジタルカメラである。撮像部３３としては、一般的に使用されるものであれば特に限定されないが、例えば、ＣＣＤ(Charge Coupled Device)カメラを使用できる。撮像部３３は、被写体を撮像して、撮像された画像を示す画像データを生成する。
【００４８】
音声入力部３４は、マイクロフォン、及び、当該マイクロフォンに入力される音声に基づくアナログ信号をデジタル信号に変換するＡ／Ｄ変換回路等を含む。マイクロフォンとしては、一般的に使用されるものであればよく特に限定されないが、例えば、コンデンサ型のマイクロフォンを使用できる。
【００４９】
音声出力部３５は、音声データによって示されるデジタル信号をアナログ信号に変換するＤ／Ａ変換回路、アナログ信号に基づいて音声を出力するためのスピーカー、及びアンプ等を含む。
【００５０】
記憶部３６は、フラッシュメモリー等の大容量の記憶装置である。記憶部３６は、携帯端末装置２の一般的な動作を実現するための各種制御プログラムを記憶している。記憶部３６は、特許請求の範囲における第１記憶部の一例である。
【００５１】
記憶部３６は、本実施の形態に係る複数コード生成処理を実行するための複数コード生成プログラムを記憶している。上記のプロセッサーは、複数コード生成プログラムに従って動作することにより、制御部３０として、複数コード生成処理を実行する。複数コード生成プログラムは、上記制御プログラムに含まれているものとする。
【００５２】
記憶部３６は、一般的に使用される暗号化プログラムを記憶している。制御部３０は、暗号化プログラムに従って動作することによって、予め定められている共通鍵を用いて、暗号化対象の文字列を暗号化する。
【００５３】
なお、当該暗号化プログラムにおいて用いられる共通鍵は、画像形成装置１のＨＤＤ１９に記憶されている復号化プログラムにおいて用いられる共通鍵と同じである。
【００５４】
記憶部３６は、一般的に使用される二次元コード生成プログラムを記憶する。制御部３０は、二次元コード生成プログラムに従って動作することによって、二次元コードを生成する。
【００５５】
電話通信部３７は、公衆回線への接続を行ない、公衆回線を介して音声データの送受信を行なう。
【００５６】
通信部３８は、通信モジュールを含む。携帯端末装置２は、通信部３８を介して、ネットワーク上の情報処理装置２３又は画像形成装置１とデータ通信を行なう。
【００５７】
携帯端末装置２の各部には電源が接続され、この電源から電力が供給されることによって、携帯端末装置２の各部が動作する。
【００５８】
［動作］
以下、本実施の形態に係る情報伝達システム３の動作について、携帯端末装置２における動作と、画像形成装置１における動作と、に場合分けして説明する。
【００５９】
（携帯端末装置２における動作）
図４は、複数コード生成処理を示すフローチャートである。以下、複数コード生成処理を実行するために、携帯端末装置２で実行される複数コード生成プログラムの制御構造について、携帯端末装置２の動作と併せて説明する。当該複数コード生成プログラムは、タッチパネル３２を介して、ユーザーによって、複数コード生成機能を選択する指示が入力されることによって、制御部３０により実行される。
【００６０】
携帯端末装置２の電源が投入されると、制御部３０は、表示部３１に、携帯端末装置２によって実行可能な複数の機能のうちのいずれかを選択するための第１ホーム画面を表示させる。
【００６１】
図５は、第１ホーム画面の一例を示す図である。図５を参照して、第１ホーム画面５０は、ソフトキーとして、電子メール機能を選択するためのキー５２、撮像機能を選択するためのキー５４、及び、複数コード生成機能を選択するためのキー５６等を含む。
【００６２】
ユーザーは、第１ホーム画面５０を確認して、キー５６をタッチしたものとする。図４を参照して、制御部３０は、タッチパネル３２を介してキー５６に対するタッチ操作を検知すると、表示部３１に、伝達対象となる情報（以下、「対象情報」と記す。）を入力するための第１設定画面を表示させる（ステップＳ１１）。
【００６３】
図６は、第１設定画面の一例を示す図である。図６を参照して、第１設定画面６０は、「文字列を入力してください。」というメッセージ６２を含む。第１設定画面６０は、入力された文字列を表示するための欄６４を含む。第１設定画面６０は、ソフトキーとして、対象情報を確定する指示を入力するためのキー６６を含む。
【００６４】
第１設定画面６０の表示後、制御部３０は、対象情報を確定する指示を受け付けるまで待機している（ステップＳ１２にてＮＯ）。ユーザーは、第１設定画面６０を確認して、タッチパネル３２を介して、対象情報として、「ABCDEF」という文字列を入力したものとする。制御部３０は、上記の入力を受け付けると、表示部３１に対し、欄６４に、入力された文字列である「ABCDEF」を表示させる。ユーザーは、欄６４に表示されている文字列を確認して、キー６６をタッチしたものとする。
【００６５】
制御部３０は、タッチパネル３２を介してキー６６に対するタッチ操作を検知すると、対象情報を確定する指示を受け付けたと判定し（ステップＳ１２にてＹＥＳ）、記憶部３６に予め記憶されている一般的な暗号化プログラムを用いて、対象情報として入力された文字列を示すテキストデータ（以下、単に「文字列」と記す。）を、予め定められている共通鍵によって暗号化する（ステップＳ１３）。この場合、暗号化された対象情報として「GHIJKL」という文字列が生成されたものとする。
【００６６】
対象情報の暗号化後、制御部３０は、表示部３１に、第１パスワードを設定するための第２設定画面を表示させる（ステップＳ１４）。図７は、第２設定画面の一例を示す図である。図７を参照して、第２設定画面７０は、「パスワードを入力して下さい。」というメッセージ７２を含む。第２設定画面７０は、入力された第１パスワードを表示するための欄７４を含む。第２設定画面７０は、ソフトキーとして、第１パスワードを確定する指示を入力するためのキー７６を含む。
【００６７】
第２設定画面７０の表示後、制御部３０は、第１パスワードを確定する指示を受け付けるまで待機している（ステップＳ１５にてＮＯ）。ユーザーは、第２設定画面７０を確認して、タッチパネル３２を介して、第１パスワードとして、「123456」という文字列を入力したものとする。制御部３０は、上記の入力を受け付けると、表示部３１に対し、欄７４に、入力された第１パスワードである「123456」を表示させる。ユーザーは、欄７４に表示されている第１パスワードを確認して、キー７６をタッチしたものとする。
【００６８】
制御部３０は、タッチパネル３２を介してキー７６に対するタッチ操作を検知すると、第１パスワードを確定する指示を受け付けたと判定し（ステップＳ１５にてＹＥＳ）、暗号化された対象情報を、予め定められている第１の分割方法にしたがって複数の分割情報に分割する（ステップ１６）。
【００６９】
ここでは、予め定められている第１の分割方法の一例として、「予め定められている文字数毎に分割する」という方法を用いて説明する。また、予め定められている文字数の一例として「二文字」を用いて説明する。この場合、制御部３０は、暗号化された対象情報としての「GHIJKL」という文字列を、先頭の文字（すなわち、最も左に位置している文字）から最後尾の文字（すなわち、最も右に位置している文字）に向かって順に二文字ごとに分割して、「GH」という文字列を示す第１の分割情報と、「IJ」という文字列を示す第２の分割情報と、「KL」という文字列を示す第３の分割情報とをこの順に生成する。
【００７０】
文字列の分割後、制御部３０は、入力された第１パスワードを、予め定められている第２の分割方法にしたがって複数の分割パスワードに分割する（ステップ１７）。ここでは、予め定められている第２の分割方法は、上記第１の分割方法と同じであるものとする。この場合、制御部３０は、「123456」という第１パスワードを、先頭の文字から最後尾の文字に向かって順に二文字ごとに分割して、「12」という文字列を示す第１の分割パスワードと、「34」という文字列を示す第２の分割パスワードと、「56」という文字列を示す第３の分割パスワードとをこの順に生成する。
【００７１】
第１パスワードの分割後、制御部３０は、生成された複数の分割情報のそれぞれについて、当該分割情報と、第１の分割方法と、を少なくとも含む復元情報を生成する（ステップＳ１８）。この場合、制御部３０は、第１乃至第３の分割情報のそれぞれに対応する第１乃至第３の復元情報を生成する。
【００７２】
図８は、復元情報の構造の一例を示す。図８を参照して、復元情報８０は、ヘッダー部分８２と、本体部分８４と、フッター部分８６とを含む。
【００７３】
ヘッダー部分８２は、分割情報に関する各種の情報を含む。具体的には、ヘッダー部分８２は、分割情報が生成された順序、すなわち、分割情報の結合順序を番号によって示す番号情報と、分割情報の総数を示す分割数情報と、第１の分割方法を示す第１方法情報と、分割情報のサイズを示す第１サイズ情報と、を含む。
【００７４】
本体部分８４は、分割情報を少なくとも含む。分割情報は、当該分割情報が生成された順序にしたがって、番号情報によって示される番号の小さい復元情報８０から番号の大きい復元情報８０に向かって、順に格納されていく。本体部分８４は、分割パスワードをさらに含む場合もある。ここで、分割情報及び分割パスワードは、テキストファイルの形式で本体部分８４に含まれている。
【００７５】
フッター部分８６は、本体部分８４に分割パスワードが含まれている場合に、分割パスワードに関する各種の情報を含む。具体的には、フッター部分８６は、第２の分割方法を示す第２方法情報と、分割パスワードのサイズを示す第２サイズ情報と、を含む。
【００７６】
例えば、第１の分割情報に対応する復元情報８０のヘッダー部分８２は、「1」を示す番号情報と、「3」を示す分割数情報と、「二文字毎に分割する」という分割方法を示す第１方法情報と、「2」(バイト)を示す第１サイズ情報とを含んでいる。本体部分８４は、「GH」という第１の分割情報と、「12」という第１の分割パスワードと、を含んでいる。フッター部分８６は、「2」(バイト)を示す第２サイズ情報と、「二文字毎に分割する」という分割方法を示す第２方法情報とを含んでいる。第２の分割情報に対応する復元情報８０、及び、第３の分割情報に対応する復元情報８０も同様の構成を有する。
【００７７】
分割パスワードは、当該分割パスワードが生成された順序にしたがって、番号情報によって示される番号の小さい復元情報８０から番号の大きい復元情報８０に向かって、順に格納されていく。したがって、分割パスワードの数が分割情報の数よりも小さい場合、分割パスワードを含む復元情報８０と、分割パスワードを含まない復元情報８０と、が生成される。すなわち、生成された複数の復元情報８０のうち少なくとも２つ以上には、生成された複数の分割パスワードが分配されて含まれる。
【００７８】
復元情報８０の生成後、制御部３０は、記憶部３６に予め記憶されている一般的な二次元コード生成プログラムを用いて、生成された複数の復元情報８０のそれぞれについて、復元情報８０を格納する二次元コードを生成して、記憶部３６に記憶させる（ステップＳ１９）。この場合、制御部３０は、第１乃至第３の復元情報８０のそれぞれに対応する第１乃至第３の二次元コードを生成して、記憶部３６に記憶させる。
【００７９】
二次元コードの記憶後、制御部３０は、複数コード生成処理を終了する。複数コード生成処理の終了後、ユーザーは、対象情報を印刷するために、携帯端末装置２を所持して、画像形成装置１が設置されているコンビニエンスストアに向かったものとする。
【００８０】
（画像形成装置１における動作）
図９Ａ及び図９Ｂは、対象情報復元処理を示すフローチャートである。以下、対象情報復元処理を実行するために、画像形成装置１で実行される復元プログラムの制御構造について、画像形成装置１の動作と併せて説明する。復元プログラムは、操作部１５を介して、ユーザーによって、対象情報復元機能が選択されることによって、制御部１０により実行される。
【００８１】
画像形成装置１の電源が投入されると、制御部１０は、表示部１６に、画像形成装置１によって実行可能な複数の機能のうちのいずれかを選択するための第２ホーム画面を表示させる。
【００８２】
図１０は、第２ホーム画面の一例を示す図である。図１０を参照して、第２ホーム画面１０１は、ソフトキーとして、印刷機能を選択するためのキー１０２、送信機能を選択するためのキー１０４、ファクシミリ機能を選択するためのキー１０６、及び、対象情報復元機能を選択するためのキー１０８等を含む。
【００８３】
ユーザーは、第２ホーム画面１０１を確認して、キー１０８をタッチしたものとする。図９Ａを参照して、制御部１０は、タッチパネル１５Ｂを介してキー１０８に対するタッチ操作を検知すると、表示部１６に、二次元コードの読取りを行なうための読取画面を表示させる（ステップＳ３１）。
【００８４】
図１１は、読取画面の一例を示す図である。図１１を参照して、読取画面１１０は、「二次元コードの読取りを行なって下さい。」というメッセージ１１２と、「全ての二次元コードを読取った後、ＯＫボタンをタッチして下さい。」というメッセージ１１４と、を含む。読取画面１１０は、ソフトキーとして、読取指示を入力するためのキー１１６と、全ての二次元コードの読取りの完了を入力するためのキー１１８と、を含む。読取画面１１０の表示後、制御部１０は、読取指示を受け付けるまで、又は、全ての二次元コードの読取りが完了するまで、待機している（ステップＳ３２にてＮＯ，ステップＳ３３にてＮＯ）。
【００８５】
ユーザーは、メッセージ１１２を確認し、携帯端末装置２のタッチパネル３２を介して、第１の二次元コードを表示部３１に表示させるための指示を入力したものとする。携帯端末装置２の制御部３０は、タッチパネル３２を介して上記の入力を受け付けると、記憶部３６に記憶されている第１の二次元コードを読出し、表示部３１に、読出された第１の二次元コードを表示させる。
【００８６】
ユーザーは、表示部３１の表示面を画像読取部１１のプラテンガラスに向けるとともに、キー１１６をタッチする。制御部１０は、タッチパネル１５Ｂを介してキー１１６に対するタッチ操作を検知すると、読取指示を受け付けたと判定し（ステップＳ３２にてＹＥＳ）、画像読取部１１に、第１の二次元コードを読取らせ、読取られた第１の二次元コードを示す第１画像データをＨＤＤ１９に記憶させる（ステップＳ３４）。
【００８７】
第１の二次元コードの読取り後、制御はステップＳ３２に戻る。ユーザーは、上記と同様にして、表示部３１に、第２の二次元コードを表示させ、キー１１６をタッチする。制御部１０は、上記と同様にして、読取指示を受け付けたと判定し（ステップＳ３２にてＹＥＳ）、画像読取部１１に、第２の二次元コードを読取らせ、読取られた第２の二次元コードを示す第２画像データをＨＤＤ１９に記憶させる（ステップＳ３４）。
【００８８】
第２の二次元コードの読取り後、制御は再びステップＳ３２に戻る。ユーザーは、上記と同様にして、表示部３１に、第３の二次元コードを表示させ、キー１１６をタッチする。制御部１０は、上記と同様にして、読取指示を受け付けたと判定し（ステップＳ３２にてＹＥＳ）、画像読取部１１に、第３の二次元コードを読取らせ、読取られた第３の二次元コードを示す第３画像データをＨＤＤ１９に記憶させる（ステップＳ３４）。
【００８９】
第３の二次元コードの読取り後、制御は再びステップＳ３２に戻る。ユーザーは、第３の二次元コードの読取りを完了すると、キー１１８をタッチする。制御部１０は、タッチパネル１５Ｂを介してキー１１８に対するタッチ操作を検知すると、全ての二次元コードの読取りが完了したと判定し（ステップＳ３３にてＹＥＳ）、ＨＤＤ１９に予め記憶されている一般的な二次元コード読取りプログラムを用いて、取得された複数の画像データを解析して、複数の画像データのそれぞれについて、画像データによって示される二次元コードに格納されている復元情報８０を取得し、取得された複数の復元情報８０をＨＤＤ１９に記憶させる（ステップＳ３５）。
【００９０】
この場合、制御部１０は、第１乃至第３の画像データによって示される第１乃至第３の二次元コードに格納されている第１乃至第３の復元情報８０を取得して、ＨＤＤ１９に記憶させる。
【００９１】
復元情報８０の記憶後、制御部１０は、ＨＤＤ１９に記憶されている復元情報８０の数と、第１の復元情報８０に含まれている分割数情報によって示される分割情報の総数とが一致するか否かを判定する（ステップＳ３６）。
【００９２】
なお、第１乃至第３の復元情報８０のそれぞれには、同一の分割数情報が含まれている。したがって、制御部１０は、第２又は第３の復元情報８０に含まれている分割数情報に基づいて、ステップＳ３６の判定を行なってもよい。
【００９３】
この場合、ＨＤＤ１９に記憶されている復元情報８０の数は「3」であり、例えば第１の復元情報８０に含まれている分割数情報によって示される値は「3」であるので、制御部１０は、復元情報８０の数と、分割情報の総数とが一致すると判定し（ステップＳ３６にてＹＥＳ）、復元情報８０に含まれている第２の分割方法を用いて、複数の復元情報８０のそれぞれに含まれている分割パスワードを結合する（ステップＳ３７）。
【００９４】
一方、制御部１０は、復元情報８０の数と、分割情報の総数とが一致しないと判定した場合（ステップＳ３６にてＮＯ）、表示部１６に、第１エラー画面を表示させる（ステップＳ３８）。第１エラー画面は、例えば、「読取られた二次元コードの数が、生成された二次元コードの数と一致しておりません。」等の、エラーの内容を示すメッセージを含む。第１エラー画面の表示後、制御部１０は、対象情報復元処理を終了する。
【００９５】
ステップＳ３７において、制御部１０はまず、第１の復元情報８０に含まれている第２方法情報に基づいて、結合方法を決定する。この場合、制御部１０は、第２方法情報によって示される第２の分割方法に基づいて、「番号情報によって示される番号順に分割パスワードを結合する」という結合方法を決定する。
【００９６】
なお、第１乃至第３の復元情報８０のそれぞれには、同一の第２方法情報が含まれている。したがって、制御部１０は、第２又は第３の復元情報８０に含まれている第２方法情報に基づいて、結合方法を決定してもよい。
【００９７】
制御部１０は、決定された結合方法にしたがって、第１の復元情報８０に含まれている「12」という第１の分割パスワードと、第２の復元情報８０に含まれている「34」という第２の分割パスワードと、第３の復元情報８０に含まれている「56」という第３の分割パスワードとを、第１乃至第３の復元情報８０に含まれている番号情報によって示される順序で結合して、「123456」という復元パスワードを生成する。
【００９８】
分割パスワードの結合後、制御部１０は、復元パスワードを、ＨＤＤ１９に記憶させる（ステップＳ３９）。この場合、復元パスワードとして、「123456」という文字列を示すテキストファイルが、ＨＤＤ１９に記憶される。復元パスワードの記憶後、制御部１０は、表示部１６に、第２パスワードを入力するための入力画面を表示させる（ステップＳ４０）。
【００９９】
図１２は、入力画面の一例を示す図である。図１２を参照して、入力画面１２０は、「パスワードを入力して下さい。」というメッセージ１２２を含む。入力画面１２０は、入力された第２パスワードを表示するための欄１２４を含む。入力画面１２０は、ソフトキーとして、第２パスワードを確定する指示を入力するためのキー１２６を含む。
【０１００】
入力画面１２０の表示後、制御部１０は、第２パスワードを確定する指示を受け付けるまで待機している（ステップＳ４１にてＮＯ）。ユーザーは、入力画面１２０を確認して、タッチパネル１５Ｂを介して、第２パスワードとして、「123456」という文字列を入力したものとする。制御部１０は、上記の入力を受け付けると、表示部１６に対し、欄１２４に、入力された第２パスワードである「123456」を表示させる。ユーザーは、欄１２４に表示されている第２パスワードを確認して、キー１２６をタッチしたものとする。
【０１０１】
図９Ｂを参照して、制御部１０は、タッチパネル１５Ｂを介してキー１２６に対するタッチ操作を検知すると、第２パスワードが確定されたと判定し（ステップＳ４１にてＹＥＳ）、入力された第２パスワードと、ＨＤＤ１９に記憶されている復元パスワードとが一致するか否かを判定する（ステップＳ４２）。
【０１０２】
この場合、入力された第２パスワードは「123456」であり、復元パスワードは「123456」であるので、制御部１０は、入力された第２パスワードと、復元パスワードとが一致すると判定し（ステップＳ４２にてＹＥＳ）、復元情報８０に含まれている第１の分割方法を用いて、複数の復元情報８０のそれぞれに含まれている分割情報を結合する（ステップＳ４３）。
【０１０３】
一方、制御部１０は、入力された第２パスワードと、復元パスワードとが一致とが一致しないと判定した場合（ステップＳ４２にてＮＯ）、表示部１６に、第２エラー画面を表示させる（ステップＳ４４）。第２エラー画面は、例えば、「入力されたパスワードは不適合です。」等の、エラーの内容を示すメッセージを含む。第２エラー画面の表示後、制御部１０は、対象情報復元処理を終了する。
【０１０４】
ステップＳ４３において、制御部１０はまず、第１の復元情報８０に含まれている第１方法情報に基づいて、結合方法を決定する。この場合、制御部１０は、第１方法情報によって示される第１の分割方法に基づいて、「番号情報によって示される番号順に分割情報を結合する」という結合方法を決定する。
【０１０５】
なお、第１乃至第３の復元情報８０のそれぞれには、同一の第１方法情報が含まれている。したがって、制御部１０は、第２又は第３の復元情報８０に含まれている第１方法情報に基づいて、結合方法を決定してもよい。
【０１０６】
制御部１０は、決定された結合方法にしたがって、第１の復元情報８０に含まれている「GH」という第１の分割情報と、第２の復元情報８０に含まれている「IJ」という第２の分割情報と、第３の復元情報８０に含まれている「KL」という第３の分割情報とを、第１乃至第３の復元情報８０に含まれている番号情報によって示される順序で結合して、「GHIJKL」という文字列を結合情報として生成する。
【０１０７】
分割情報の結合後、制御部１０は、ＨＤＤ１９に予め記憶されている一般的な復号化プログラムを用いて、生成された結合情報を、予め定められている共通鍵によって復号化する（ステップＳ４５）。この場合、復号化された結合情報として、「ABCDEF」という文字列が生成される。
【０１０８】
結合情報の復号化後、制御部１０は、復号化された結合情報を、対象情報としてＨＤＤ１９に記憶させる（ステップＳ４６）。この場合、対象情報として、「ABCDEF」という文字列を示すテキストファイルが、ＨＤＤ１９に記憶される。対象情報の記憶後、制御部１０は、対象情報復元処理を終了する。対象情報復元処理の終了後、制御部１０は、表示部１６に、第２ホーム画面１０１を表示させる。
【０１０９】
ユーザーは、対象情報を印刷するために、第２ホーム画面１０１のキー１０２をタッチしたものとする。タッチパネル１５Ｂを介してキー１０２に対するタッチ操作を検知すると、制御部１０は、表示部１６に、印刷機能に関する各種設定を入力するための設定画面を表示させる。
【０１１０】
ユーザーは、設定画面を確認し、操作部１５を介して、印刷機能に関する各種設定を入力する。このとき、ユーザーは、印刷対象のデータとして、対象情報を指定したものとする。
【０１１１】
各種設定の入力後、ユーザーは、印刷を開始するために、操作部１５に備えられているスタートキー１５Ａを押下したものとする。スタートキー１５Ａの押下を検知すると、制御部１０は、画像形成部１２等に、ＨＤＤ１９に記憶されている対象情報に基づく画像を、記録紙に形成させる。
【０１１２】
上記実施の形態によれば、携帯端末装置２において、制御部３０は、タッチパネル３２を介して入力される伝達対象の対象情報を暗号化し、暗号化された対象情報を、予め定められている第１の分割方法にしたがって第１乃至第３の分割情報に分割する。制御部３０は、タッチパネル３２を介して入力される第１パスワードを、予め定められている第２の分割方法にしたがって第１乃至第３の分割パスワードに分割する。
【０１１３】
制御部３０は、第１乃至第３の分割情報のそれぞれについて、当該分割情報と、第１の分割方法と、を少なくとも含む復元情報８０を生成する。生成された第１乃至第３の復元情報には、第１乃至第３の分割パスワードが分配されて含まれるとともに、第２の分割方法が含まれている。制御部３０は、生成された第１乃至第３の復元情報８０のそれぞれについて、復元情報８０を格納する二次元コードを生成して、記憶部３６に記憶させる。制御部３０は、表示部３１に、記憶部３６に記憶されている第１乃至第３の二次元コードを表示させる。
【０１１４】
画像形成装置１において、制御部１０は、画像読取部１１に、表示部３１に表示されている第１乃至第３の二次元コードのそれぞれを示す画像データを取得させる。制御部１０は、複数の画像データのそれぞれについて、画像データによって示される二次元コードに格納されている復元情報８０を取得する。制御部１０は、復元情報８０に含まれている第２の分割方法を用いて、第１乃至第３の復元情報８０のそれぞれに含まれている第１乃至第３の分割パスワードを結合することによって、復元パスワードを生成する。
【０１１５】
制御部１０は、操作部１５を介して入力される第２パスワードと、復元パスワードとが一致する場合に、復元情報８０に含まれている第１の分割方法を用いて、複数の復元情報８０のそれぞれに含まれている分割情報を結合することによって、結合情報を生成する。制御部１０は、結合情報を復号化し、復号化された結合情報を、対象情報として、ＨＤＤ１９に記憶させる。制御部１０は、第２パスワードと、復元パスワードとが一致しない場合には、分割情報の結合を行なわない。
【０１１６】
このように、伝達対象の情報が暗号化されるとともに分割されるので、伝達対象の情報の所有者ではない第三者が複数の二次元コードを取得したとしても、当該第三者は、複数の二次元コードにそれぞれ格納されている分割情報の結合方法及び暗号化された情報の復号化方法を知らなければ、伝達対象の情報を取得できない。また、第１パスワードが分割されるので、第三者は、分割情報の結合及び暗号化された情報の復号化を実行するための第１パスワードを容易に知ることができない。したがって、二次元コードからの情報の漏えいを防ぐことができ、安全に対象情報を伝達できる。
【０１１７】
また、制御部１０は、第２パスワードと、復元パスワードとが一致しない場合には、分割情報の結合を行なわない。これによって、復元パスワード、すなわち第１パスワードを知ることのできない第三者は、制御部１０に、分割情報を結合させることができない。したがって、二次元コードからの情報の漏えいをより一層確実に防ぐことができる。
【０１１８】
また上記実施の形態によれば、制御部１０は、取得された復元情報８０の数と、復元情報８０に含まれている分割情報の総数とが一致する場合に、復元パスワードの生成を行ない、一致しない場合には、復元パスワードの生成を行なわない。これによって、第三者は、複数の二次元コードのうちの一部の二次元コードを取得したとしても、伝達対象の情報を取得できない。したがって、二次元コードからの情報の漏えいをより一層確実に防ぐことができる。
【０１１９】
また上記実施の形態によれば、制御部１０は、復元情報８０に含まれている第１の分割方法及び結合順序を用いて、複数の分割情報を結合する。これによって、より一層正確に複数の分割情報を結合することができる。
【０１２０】
また上記実施の形態によれば、画像形成部１２等は、ＨＤＤ１９に記憶されている対象情報に基づく画像を、記録紙に形成する。これによって、ユーザーは、安全に伝達された対象情報を示す画像が形成された記録紙を、容易に取得できる。
【０１２１】
（第１の変形例）
上記実施の形態では、対象情報の暗号化及び結合情報の復号化は、予め定められている共通鍵によって行なわれたが、本発明はそのような実施の形態に限定されない。本発明の第１の変形例に係る情報伝達システム３の構成は、画像形成装置１のＨＤＤ１９、及び、携帯端末装置２の記憶部３６が、それぞれ、同一の暗号テーブルを予め記憶している点を除き、上記実施の形態と同じである。以下、上記した実施の形態と異なる点について説明する。
【０１２２】
画像形成装置１のＨＤＤ１９、及び、携帯端末装置２の記憶部３６のそれぞれに記憶されている暗号テーブルには、複数の暗号鍵のそれぞれが、暗号鍵を識別するための識別番号に対応付けられている。
【０１２３】
［動作］
以下、第２の変形例に係る情報伝達システム３の動作を説明するが、上記した実施の形態と同じ動作については、繰り返して説明しない。
【０１２４】
（携帯端末装置２における動作）
ステップＳ１３において、制御部３０は、記憶部３６に予め記憶されている一般的な暗号化プログラムを用いて、対象情報として入力された文字列を、ＨＤＤ１９に予め記憶されている暗号テーブルに含まれている複数の暗号鍵のうちのいずれかによって、暗号化する（ステップＳ１３）。
【０１２５】
ステップＳ１８において、制御部３０は、生成された複数の分割情報のそれぞれについて、復元情報８０を生成する。復元情報８０は、ヘッダー部分８２に、ステップＳ１３において用いられた暗号鍵の識別番号を示す暗号鍵情報をさらに含んでいる。
【０１２６】
（画像形成装置１における動作）
ステップＳ４５において、制御部１０は、ＨＤＤ１９に予め記憶されている一般的な復号化プログラムを用いて、生成された結合情報を、記憶部３６に予め記憶されている暗号テーブルに含まれている複数の暗号鍵のうち、復元情報８０に含まれている暗号鍵情報によって示される識別番号に対応する暗号鍵によって復号化する。
【０１２７】
上記第１の変形例によれば、対象情報の暗号化及び結合情報の復号化は、暗号テーブルに含まれている複数の暗号鍵のうちのいずれかによって行なわれるので、第三者は、対象情報の暗号化及び結合情報の復号化に用いられている暗号鍵を知ることがより一層困難になる。したがって、対象情報の伝達をより一層安全に行なうことができる。
【０１２８】
（その他の変形例）
上記実施の形態では、予め定められている第１の分割方法として、「予め定められている文字数毎に分割する」という方法が用いられたが、本発明はそのような実施の形態に限定されない。例えば、予め定められている第１の分割方法として、「先頭の文字と最後尾の文字との組合せを示す文字列を生成する」という方法が用いられてもよい。
【０１２９】
この場合、ステップＳ１６において、制御部３０はまず、暗号化された対象情報としての「GHIJKL」という文字列について、先頭の文字である「G」と、最後尾の文字である「L」とを組み合わせて、「GL」という文字列を示す第１の分割情報を生成する。制御部３０は次いで、「GHIJKL」という文字列から先頭の文字及び最後尾の文字を除いた「HIJK」という文字列について、先頭の文字である「H」と、最後尾の文字である「K」とを組み合わせて、「HK」という文字列を示す第２の分割情報を生成する。制御部３０は、「HIJK」という文字列から先頭の文字及び最後尾の文字を除いた二文字からなる「IJ」という文字列を、第３の分割情報とする。
【０１３０】
また上記実施の形態では、コードの一例として二次元コードが用いられたが、本発明はそのような実施の形態に限定されない。コードとしては、復元情報８０を格納できるものであれば特に限定されず、例えば、バーコード等の一次元コードであってもよい。
【０１３１】
また上記実施の形態では、ユーザーは、印刷機能を利用して、画像形成部１２等に、ＨＤＤ１９に記憶されている対象情報に基づく画像を、記録紙に形成させたが、本発明はそのような実施の形態に限定されない。例えば、ユーザーは、ファクシミリ機能を利用して、ＨＤＤ１９に記憶されている対象情報を、ファクシミリ通信部２１を介して、ファクシミリ送信してもよい。
【０１３２】
また上記実施の形態では、対象情報として、文字列を示すテキストデータが用いられたが、本発明はそのような実施の形態に限定されない。対象情報としては、例えば、携帯端末装置２の撮像部３３によって撮像された画像を示す画像データであってもよい。この場合、予め定められている第１の分割方法として、例えば「予め定められている画素数毎に分割する」という方法が用いられる。
【０１３３】
また上記実施の形態では、復元情報８０のヘッダー部分８２は、番号情報、分割数情報、第１方法情報、及び第１サイズ情報を含み、フッター部分８６は、第２サイズ情報及び第２方法情報を含んでいたが、本発明はそのような実施の形態に限定されない。例えば、ヘッダー部分８２が、第２サイズ情報及び第２方法情報を含み、フッター部分８６が、番号情報、分割数情報、第１方法情報、及び第１サイズ情報を含んでいてもよい。
【０１３４】
また上記実施の形態では、画像形成部１２等は、記録紙に画像を形成したが、本発明はそのような実施の形態に限定されない。画像形成部１２等は、記録紙に限らず、他の記録媒体に画像を形成してもよい。他の記録媒体としては、例えば、ＯＨＰ（Overhead Projector）シートを例示できる。
【０１３５】
また上記実施の形態では、画像取得部として画像読取部１１が用いられたが、本発明はそのような実施の形態に限定されない。例えば、画像形成装置１が、被写体を撮像して、撮像された画像を示す画像データを取得するデジタルカメラ等からなる撮像部を備えており、当該撮像部が、画像取得部として用いられてもよい。
【０１３６】
なお、本発明は上記実施の形態の構成に限られず種々の変形が可能である。例えば、上記実施の形態では、本発明に係る画像処理装置の一実施形態としてカラー複合機を用いて説明しているが、これは一例に過ぎず、モノクロ複合機、コピー機、又はファクシミリ装置等の他の電子機器であってもよい。
【０１３７】
また、図１乃至図１２を用いて上記実施形態により示した構成及び処理は、本発明の一実施形態に過ぎず、本発明を当該構成及び処理に限定する趣旨ではない。
【符号の説明】
【０１３８】
１    画像形成装置
２    携帯端末装置
３    情報伝達システム
１０  制御部
１１  画像読取部
１２  画像形成部
１５  操作部
１９  ＨＤＤ
３０  制御部
３１  表示部
３２  タッチパネル
３６  記憶部
【図１】
2020182194.tif 000003
【図２】
2020182194.tif 000004
【図３】
2020182194.tif 000005
【図４】
2020182194.tif 000006
【図５】
2020182194.tif 000007
【図６】
2020182194.tif 000008
【図７】
2020182194.tif 000009
【図８】
2020182194.tif 000010
【図９Ａ】
2020182194.tif 000011
【図９Ｂ】
2020182194.tif 000012
【図１０】
2020182194.tif 000013
【図１１】
2020182194.tif 000014
【図１２】
2020182194.tif 000015